(57)【要約】  遷移をトリガするためにシステム情報メッセージを利用して異なる無線アクセス技術（ＲＡＴ）間で遷移するための方法、システム、およびデバイスについて説明する。いくつかの実施形態は、サービングセルとの接続モードにある間に第１の無線ＲＡＴ（たとえば、２Ｇ、３Ｇ、４Ｇ）を介してサービングセルから受信され得るシステム情報メッセージ（たとえば、ＳＩＢ１９、ＳＩ２ｑｕａｔｅｒ）を利用することを伴い得る。受信されたシステム情報メッセージに応答してサービングセルとの接続モードからサービングセルとのアイドルモードへの遷移が開始され得る。受信されたシステム情報メッセージに応答してサービングセルとのアイドルモードから第２のＲＡＴ（たとえば、３Ｇ、４Ｇ、または５Ｇ）を利用するターゲットセルへの再選択が実施され得る。
2016512941.tif 000002
【特許請求の範囲】
【請求項１】
ワイヤレス通信システムにおける再選択の方法であって、
ユーザ機器（ＵＥ）において、サービングセルとの接続モードにある間に第１の無線アクセス技術（ＲＡＴ）を介して前記サービングセルからシステム情報メッセージを受信することと、
前記ＵＥにおいて、前記受信されたシステム情報メッセージに応答して前記サービングセルとの前記接続モードから前記サービングセルとのアイドルモードへの遷移を開始することと、
前記受信されたシステム情報メッセージに応答して前記サービングセルとの前記アイドルモードから第２のＲＡＴを利用するターゲットセルへの再選択を実施することと
を備える方法。
【請求項２】
前記システム情報メッセージがシステム情報ブロック（ＳＩＢ）を備える、請求項１に記載の方法。
【請求項３】
前記ＳＩＢがＳＩＢ１９またはＳＩ２ｑｕａｔｅｒを備える、請求項２に記載の方法。
【請求項４】
前記システム情報メッセージが、ネイバーリスト、前記第２のＲＡＴによる基礎をなすカバレージを示す情報、前記第２のＲＡＴに関するキャリア周波数情報、または前記ＵＥを許容パブリックランドモバイルネットワーク（ＰＬＭＮ）にダイレクトする情報を備える、請求項１に記載の方法。
【請求項５】
前記システム情報メッセージを前記受信することが、ＲＲＣ接続状態中に行われる、請求項１に記載の方法。
【請求項６】
前記遷移を前記開始することが、前記受信されたシステム情報メッセージに応答して接続解放を開始することを備える、請求項１に記載の方法。
【請求項７】
前記遷移を前記開始することが、
前記サービングセルとの無線リンクの無線リンク失敗（ＲＬＦ）を示すこと
を備える、請求項１に記載の方法。
【請求項８】
前記接続解放を開始するためにシグナリング接続解放指示を送信すること
をさらに備える、請求項６に記載の方法。
【請求項９】
前記第１のＲＡＴが、２Ｇ  ＲＡＴ、３Ｇ  ＲＡＴ、または４Ｇ  ＲＡＴを備える、請求項１に記載の方法。
【請求項１０】
前記第２のＲＡＴが４Ｇ  ＲＡＴまたは５Ｇ  ＲＡＴを備える、請求項１に記載の方法。
【請求項１１】
前記ワイヤレス通信システムが、前記第１のＲＡＴから前記第２のＲＡＴへのＲＡＴ間ハンドオーバのためのサポートなしに構成された、請求項１に記載の方法。
【請求項１２】
前記ワイヤレス通信システムが、前記第１のＲＡＴから前記第２のＲＡＴへの前記ＵＥの自律ハンドオーバのためのサポートなしに構成するされた、請求項１に記載の方法。
【請求項１３】
前記システム情報メッセージを受信することより前から、少なくとも前記再選択を実施することの後まで、現在のパケットデータプロトコル（ＰＤＰ）コンテキストを保存すること
をさらに備える、請求項１に記載の方法。
【請求項１４】
前記アイドルモードへの前記遷移を前記開始することは、前記ＵＥが前記サービングセルからデータを受信するようにスケジュールされている間に行われる、請求項１に記載の方法。
【請求項１５】
前記再選択が非ブラインド試みを備える、請求項１に記載の方法。
【請求項１６】
前記再選択を前記実施することが、前記アイドルモードに遷移した後に敏速に開始する、請求項１に記載の方法。
【請求項１７】
ワイヤレス通信のための通信デバイスであって、
ユーザ機器（ＵＥ）において、サービングセルとの接続モードにある間に第１の無線アクセス技術（ＲＡＴ）を介して前記サービングセルからシステム情報メッセージを受信することと、
前記ＵＥにおいて、前記受信されたシステム情報メッセージに応答して前記サービングセルとの前記接続モードから前記サービングセルとのアイドルモードへの遷移を開始することと、
前記受信されたシステム情報メッセージに応答して前記サービングセルとの前記アイドルモードから第２のＲＡＴを利用するターゲットセルへの再選択を実施することと
を行うように構成された少なくとも１つのプロセッサ
を備える、通信デバイス。
【請求項１８】
前記システム情報メッセージがシステム情報ブロック（ＳＩＢ）を備える、請求項１７に記載の通信デバイス。
【請求項１９】
前記システム情報メッセージが、ネイバーリスト、前記第２のＲＡＴによる基礎をなすカバレージを示す情報、前記第２のＲＡＴに関するキャリア周波数情報、または前記ＵＥを許容パブリックランドモバイルネットワーク（ＰＬＭＮ）にダイレクトする情報を備える、請求項１７に記載の通信デバイス。
【請求項２０】
前記遷移を前記開始することが、前記受信されたシステム情報メッセージに応答して接続解放を開始することを備える、請求項１７に記載の通信デバイス。
【請求項２１】
前記遷移を前記開始することが、
前記サービングセルとの無線リンクの無線リンク失敗（ＲＬＦ）を示すこと
を備える、請求項１７に記載の通信デバイス。
【請求項２２】
前記少なくとも１つのプロセッサが、
前記接続解放を開始するためにシグナリング接続解放指示を送信する
ようにさらに構成された、請求項２０に記載の通信デバイス。
【請求項２３】
前記第１のＲＡＴが、２Ｇ  ＲＡＴ、３Ｇ  ＲＡＴ、または４Ｇ  ＲＡＴを備える、請求項１７に記載の通信デバイス。
【請求項２４】
前記第２のＲＡＴが４Ｇ  ＲＡＴまたは５Ｇ  ＲＡＴを備える、請求項１７に記載の通信デバイス。
【請求項２５】
前記ワイヤレス通信システムが、前記第１のＲＡＴから前記第２のＲＡＴへのＲＡＴ間ハンドオーバのためのサポートなしに構成された、請求項１７に記載の通信デバイス。
【請求項２６】
前記ワイヤレス通信システムが、前記第１のＲＡＴから前記第２のＲＡＴへの前記ＵＥの自律ハンドオーバのためのサポートなしに構成された、請求項１７に記載の通信デバイス。
【請求項２７】
前記再選択が非ブラインド試みを備える、請求項１７に記載の通信デバイス。
【請求項２８】
前記再選択を前記実施することが、前記アイドルモードに遷移した後に敏速に開始する、請求項１７に記載の通信デバイス。
【請求項２９】
ワイヤレス通信システムであって、
ユーザ機器（ＵＥ）において、サービングセルとの接続モードにある間に第１の無線アクセス技術（ＲＡＴ）を介して前記サービングセルからシステム情報メッセージを受信するための手段と、
前記ＵＥにおいて、前記受信されたシステム情報メッセージに応答して前記サービングセルとの前記接続モードから前記サービングセルとのアイドルモードへの遷移を開始するための手段と、
前記受信されたシステム情報メッセージに応答して前記サービングセルとの前記アイドルモードから第２のＲＡＴを利用するターゲットセルへの再選択を実施するための手段と
を備えるワイヤレス通信システム。
【請求項３０】
ワイヤレス通信のためのコンピュータプログラム製品であって、
ユーザ機器（ＵＥ）において、サービングセルとの接続モードにある間に第１の無線アクセス技術（ＲＡＴ）を介して前記サービングセルからシステム情報メッセージを受信するためのコードと、
前記ＵＥにおいて、前記受信されたシステム情報メッセージに応答して前記サービングセルとの前記接続モードから前記サービングセルとのアイドルモードへの遷移を開始するためのコードと、
前記受信されたシステム情報メッセージに応答して前記サービングセルとの前記アイドルモードから第２のＲＡＴを利用するターゲットセルへの再選択を実施するためのコードと
を備える非一時的コンピュータ可読媒体
を備える、コンピュータプログラム製品。
【発明の詳細な説明】
【技術分野】
【０００１】
相互参照
[0001]本特許出願は、各々が本出願の譲受人に譲渡された、２０１４年３月１９日に出願された、「INTER-RAT TRANSITIONING UTILIZING SYSTEM INFORMATION MESSAGING」と題する、Ｓｃｈｕｌｉｓｔらによる米国仮特許出願第１４／２１９，９３３号、および２０１３年３月２０日に出願された、「INTER-RAT TRANSITIONING UTILIZING SYSTEM INFORMATION MESSAGING」と題する、Ｓｃｈｕｌｉｓｔらによる米国仮特許出願第６１／８０３，６６１号の優先権を主張する。
【背景技術】
【０００２】
[0002]以下は、一般にワイヤレス通信に関し、より詳細には、異なる無線アクセス技術（ＲＡＴ）を含むシステム間の再選択プロシージャに関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００３】
[0003]概して、ワイヤレス多元接続通信システムは、各々が複数のモバイルデバイスのための通信を同時にサポートする、いくつかの基地局を含み得る。基地局は、ダウンストリームリンクおよびアップストリームリンク上でモバイルデバイスと通信し得る。各基地局は、セルのカバレージエリアと呼ばれることがあるカバレージ範囲を有する。
【０００４】
[0004]異なる無線アクセス技術（ＲＡＴ）を伴い得るいくつかの展開では、３Ｇ（たとえば、ＵＭＴＳ）−４Ｇ（たとえば、ＬＴＥ）など、異なるＲＡＴ間での接続モード（connected mode）ハンドオーバがサポートされないことがある。場合によっては、ＵＥが、３Ｇから４Ｇに戻るためにアイドルモードプロシージャを利用し得るが、これらのプロシージャは長い時間を要し得る。
【発明の概要】
【０００５】
[0005]説明する特徴は、概して、遷移をトリガするためにシステム情報メッセージを利用して異なるＲＡＴ間で遷移するための１つまたは複数の改善されたシステム、方法、および／または装置に関する。いくつかの実施形態は、サービングセルとの接続モードにある間に第１のＲＡＴを介してサービングセルから受信され得るシステム情報メッセージを利用する。受信されたシステム情報メッセージに応答してサービングセルとの接続モードからサービングセルとのアイドルモードへの遷移が開始され得る。受信されたシステム情報メッセージに応答してサービングセルとのアイドルモードから第２のＲＡＴを利用するターゲットセルへの再選択が実施され得る。
【０００６】
[0006]遷移を開始することは、無線リンク失敗（ＲＬＦ：radio link failure）を示すことを含み得る。いくつかの実施形態は、ＵＥ開始型複合接続−アイドルモード遷移および連続する３Ｇ−４Ｇ再選択のためのトリガまたはインジケータとして、３Ｇ無線リソース制御（ＲＲＣ：Radio Resource Control）接続状態中に、サービング３ＧセルのＳＩＢ１９ブロードキャストなど、システム情報ブロックと、それぞれのＵＥ検出とを利用する。ＲＲＣ専用チャネル（ＤＣＨ：Dedicated Channel）接続状態でのＳＩＢ１９の検出に基づいて、ＵＥは、３Ｇ  ＲＲＣ接続解放を開始するためにシグナリング接続解放指示（ＳＣＲＩ：signaling connection release indication）をトリガし得る。３ＧネットワークによってＲＲＣアイドルに移されると、ＵＥは、３Ｇから４Ｇへの非ブラインド（non-blind）再選択試みを敏速に開始するか、またはそれを直ちに開始し得る。
【０００７】
[0007]ＵＥは、一般に、（３Ｇ−４Ｇハンドオーバが実装されない場合、圧縮モードが利用可能でないことがあるので）３Ｇ接続モード中に４Ｇネットワークにとって「ブラインド」であり得るので、３Ｇセル上でのＳＩＢ１９のネットワークブロードキャストは、利用可能なおよび基礎をなす４Ｇカバレージの高い確率と極めて良い見込みとがあることを示し得る。さらに、ＳＩＢ１９は、マルチレイヤ／マルチバンドＬＴＥ展開において極めて有益となり、４Ｇ再選択プロセスを加速するのを助ける、キャリア周波数情報を与え得る。ブロードキャストされたＳＩＢ１９情報は許容パブリックランドモバイルネットワーク（ＰＬＭＮ：public land mobile network）（たとえば、ホームＰＬＭＮ（ＨＰＬＭＮ：home PLMN）、等価ホームＰＬＭＮ（ＥＨＰＬＭＮ：equivalent home PLMN）、訪問先ＰＬＭＮ（ＶＰＬＭＮ：visited PLMN））につながり得、これは、非許容ＰＬＭＮを走査することまたは試みることを回避し得る。さらに、いくつかの実施形態は、現在のパケットデータプロトコル（ＰＤＰ）コンテキストを保存することを可能にし得、したがってデータセッションへの影響を最小限に保ち得る。
【０００８】
[0008]ＳＩ２ｑｕａｔｅｒメッセージングを利用することによってなど、２Ｇ（たとえば、ＧＳＭ（登録商標））−３Ｇ（たとえば、ＵＭＴＳ）ＲＡＴまたは４Ｇ（たとえば、ＬＴＥ）間などの異なるＲＡＴ間で遷移するために同様のツールおよび技法が利用され得る。ネイバーリスト（neighbor list）など、他のシステム情報メッセージングが利用され得る。
【０００９】
[0009]いくつかの実施形態は、ワイヤレス通信システムにおける再選択の方法を含む。本方法は、ユーザ機器（ＵＥ）において、サービングセルとの接続モードにある間に第１の無線アクセス技術（ＲＡＴ）を介してサービングセルからシステム情報メッセージを受信すること、ＵＥにおいて、受信されたシステム情報メッセージに応答してサービングセルとの接続モードからサービングセルとのアイドルモードへの遷移を開始すること、および／または受信されたシステム情報メッセージに応答してサービングセルとのアイドルモードから第２のＲＡＴを利用するターゲットセルへの再選択を実施することを含み得る。
【００１０】
[0010]いくつかの実施形態は、ユーザ機器（ＵＥ）において、サービングセルとの接続モードにある間に第１の無線アクセス技術（ＲＡＴ）を介してサービングセルからシステム情報メッセージを受信するための手段、ＵＥにおいて、受信されたシステム情報メッセージに応答してサービングセルとの接続モードからサービングセルとのアイドルモードへの遷移を開始するための手段、および／または受信されたシステム情報メッセージに応答してサービングセルとのアイドルモードから第２のＲＡＴを利用するターゲットセルへの再選択を実施するための手段を含み得る、ワイヤレス通信システムを含む。
【００１１】
[0011]いくつかの実施形態は、ユーザ機器（ＵＥ）において、サービングセルとの接続モードにある間に第１の無線アクセス技術（ＲＡＴ）を介してサービングセルからシステム情報メッセージを受信するためのコード、ＵＥにおいて、受信されたシステム情報メッセージに応答してサービングセルとの接続モードからサービングセルとのアイドルモードへの遷移を開始するためのコード、および／または受信されたシステム情報メッセージに応答してサービングセルとのアイドルモードから第２のＲＡＴを利用するターゲットセルへの再選択を実施するためのコードを含み得る、非一時的コンピュータ可読媒体を含み得る、ワイヤレス通信のためのコンピュータプログラム製品を含む。
【００１２】
[0012]いくつかの実施形態は、ユーザ機器（ＵＥ）において、サービングセルとの接続モードにある間に第１の無線アクセス技術（ＲＡＴ）を介してサービングセルからシステム情報メッセージを受信すること、ＵＥにおいて、受信されたシステム情報メッセージに応答してサービングセルとの接続モードからサービングセルとのアイドルモードへの遷移を開始すること、および／または受信されたシステム情報メッセージに応答してサービングセルとのアイドルモードから第２のＲＡＴを利用するターゲットセルへの再選択を実施することを行うように構成され得る少なくとも１つのプロセッサを含み得る、ワイヤレス通信のための通信デバイスを含む。
【００１３】
[0013]いくつかの実施形態では、システム情報メッセージはシステム情報ブロック（ＳＩＢ：system information block）を含む。ＳＩＢは、いくつかの場合にはＳＩＢ１９を含み得る。ＳＩＢは、他の場合にはＳＩ２ｑｕａｔｅｒを含み得る。システム情報メッセージは、ネイバーリスト、第２のＲＡＴによる基礎をなすカバレージを示す情報、第２のＲＡＴに関するキャリア周波数情報、またはＵＥを許容パブリックランドモバイルネットワーク（ＰＬＭＮ）にダイレクトする情報を含み得る。
【００１４】
[0014]いくつかの実施形態では、システム情報メッセージを受信することは、ＲＲＣ接続状態中に行われる。遷移を開始することは、受信されたシステム情報メッセージに応答して接続解放を開始することを含み得る。他の例では、遷移を開始することは、第１のセルとの無線リンクの無線リンク失敗（ＲＬＦ）を示すことを含み得る。いくつかの実施形態は、接続解放を開始するためにシグナリング接続解放指示を送信することを含む。
【００１５】
[0015]いくつかの実施形態では、第１のＲＡＴは３Ｇ  ＲＡＴを含む。代替的に、第１のＲＡＴは２Ｇ  ＲＡＴまたは４Ｇ  ＲＡＴを含み得る。いくつかの実施形態では、第２のＲＡＴは４Ｇ  ＲＡＴを含む。代替的に、第２のＲＡＴは３Ｇ  ＲＡＴまたは５Ｇ  ＲＡＴを含み得る。
【００１６】
[0016]いくつかの実施形態では、ワイヤレス通信システムは、第１のＲＡＴから第２のＲＡＴへのＲＡＴ間ハンドオーバ、および／または第１のＲＡＴから第２のＲＡＴへのＵＥの自律ハンドオーバのためのサポートなしに構成される。いくつかの実施形態は、アイドルモード中にタイマーを無視することを含む。いくつかの実施形態は、アイドルモード中に第１のセルから受信された追加のシステム情報メッセージを利用することを控えることを含む。
【００１７】
[0017]いくつかの実施形態では、受信されたシステム情報はＵＥを許容ＰＬＭＮにダイレクトする。いくつかの実施形態は、システム情報メッセージを受信することより前から、少なくとも再選択を実施することの後まで、現在のＰＤＰコンテキストを保存することを含む。
【００１８】
[0018]いくつかの実施形態では、アイドルモードへの遷移を開始することは、ＵＥが第１のセルからデータを受信するようにスケジュールされている間に行われる。場合によっては、再選択は非ブラインド試みを含む。再選択を実施することは、アイドルモードに遷移した後に敏速に開始され得る。
【００１９】
[0019]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で与えられ、特許請求の範囲の限界を定めるものではない。
【００２０】
[0020]以下の図面を参照すれば、異なる実施形態の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２１】
【図１】[0021]様々な実施形態による、ワイヤレス通信システムの一例を示す図。
【図２】[0022]様々な実施形態による、ワイヤレス通信システムの態様を示す図。
【図３】[0023]様々な実施形態による状態図。
【図４Ａ】[0024]様々な実施形態による、再選択のために構成されたデバイスを示す図。
【図４Ｂ】[0025]様々な実施形態による、再選択のために構成されたデバイスを示す図。
【図５】[0026]様々な実施形態による、再選択のために構成されたユーザ機器を示す図。
【図６Ａ】[0027]様々な実施形態による、再選択をプロンプトするために構成されたデバイスを示す図。
【図６Ｂ】[0028]様々な実施形態による、再選択をプロンプトするために構成されたデバイスを示す図。
【図７】[0029]様々な実施形態による、再選択をプロンプトするために構成されたネットワークデバイスを含むシステムを示す図。
【図８】[0030]様々な実施形態による、基地局とユーザ機器とを含むＭＩＭＯ通信システムのブロック図。
【図９Ａ】[0031]様々な実施形態による、再選択の方法の流れ図。
【図９Ｂ】[0032]様々な実施形態による、再選択の方法の流れ図。
【図１０Ａ】[0033]様々な実施形態による、再選択の方法の流れ図。
【図１０Ｂ】[0034]様々な実施形態による、再選択の方法の流れ図。
【発明を実施するための形態】
【００２２】
[0035]説明する特徴は、概して、遷移をトリガするためにシステム情報メッセージを利用して異なるＲＡＴ間で遷移するための１つまたは複数の改善されたシステム、方法、および／または装置に関する。いくつかの実施形態は、サービングセルとの接続モードにある間に第１の無線アクセス技術（ＲＡＴ）を介してサービングセルから受信され得るシステム情報メッセージを利用することを伴い得る。受信されたシステム情報メッセージに応答してサービングセルとの接続モードからサービングセルとのアイドルモードへの遷移が開始され得る。受信されたシステム情報メッセージに応答してサービングセルとのアイドルモードから第２のＲＡＴを利用するターゲットセルへの再選択が実施され得る。
【００２３】
[0036]これらのツールおよび技法は、マルチＲＡＴ展開内で遷移する際に現れ得る様々な異なる問題に対処し得る。たとえば、３Ｇ（たとえば、ＵＭＴＳ）および４Ｇ（たとえば、ＬＴＥ）システムのいくつかの展開では、３Ｇから４Ｇへの接続モードハンドオーバがサポートされないことがあり、たとえば、システムは、それが接続モードハンドオーバをサポートしないように構成され得る。（たとえば、ＬＴＥカバレージエリアを出ることにより、またはボイス呼のために回線交換フォールバックプロシージャを実施した後に）３Ｇサービングセルに接続されたユーザ機器は、何らかのデータアクティビティが、極めて低いデータレートまたはデータボリュームの場合でも、進行中である限り、３Ｇに接続されたままであり得る。これは、何らかの（バックグラウンド）データアクティビティを常に実行する今日の４Ｇ  ＬＴＥスマートフォンまたはデータモデムにとって起こり得るシナリオであり得る。ユーザおよびシステム知覚は、デバイスがどういうわけか「ＵＭＴＳスティッキー（sticky）」に見え得るという点で、このことから損害を被り得る。
【００２４】
[0037]インフラストラクチャが３Ｇから４ＧへのＲＡＴ間ハンドオーバのためのサポートなしに構成された、あるいはベンダーまたはネットワーク事業者がそのＲＡＴ間ハンドオーバをサポートしない、システムでは、ＵＥは、３Ｇから４Ｇへの復帰のためにアイドルモード再選択プロシージャを利用し得る。そのようなアイドルモードプロシージャは、それらが長い時間を要し、ブラインドであり（すなわち、ターゲット４Ｇ  ＲＡＴ上でのいかなる測定もない）、または、デバイスが何らかのデータアクティビティを停止するまで４Ｇ測定が延期されなければならず、これがユーザ知覚に影響を及ぼし得ることから、損害を被り得る。
【００２５】
[0038]そのような測定にかかわらず、ＬＴＥ  ＲＡＴが、カバレージの欠如により確実に利用可能ではないことがある、および／または、デバイスが、３Ｇに接続されている間に何らかのアクティビティを続けるように構成され得る、というリスクが依然としてあり得、たとえば、測定およびデータアクティビティ中断が成功していないことがあり、あるいは、それらは、無駄な、または非効率的に使用された、時間およびＵＥ電力を生じ得る。さらに、ＵＭＴＳスティッキーＵＥが、不十分なユーザエクスペリエンス、および／あるいはデバイスまたはエクスペリエンスの否定的なユーザ知覚を生じ得る。
【００２６】
[0039]いくつかの実施形態は、ＵＥ開始型複合接続−アイドルモード遷移および連続する３Ｇ−４Ｇ再選択のためのトリガまたはインジケータとして、３Ｇ  ＲＲＣ接続状態中に、サービング３ＧセルのＳＩＢ１９ブロードキャストなど、システム情報メッセージと、それぞれのＵＥ検出とを利用することによって、これらの問題に対処し得る。ＲＲＣ  ＤＣＨ接続状態でのＳＩＢ１９の検出に基づいて、ＵＥは、３Ｇ  ＲＲＣ接続解放を開始するためにシグナリング接続解放指示（ＳＣＲＩ）をトリガし得る。３ＧネットワークによってＲＲＣアイドルに移されると、ＵＥは、３Ｇから４Ｇへの非ブラインド再選択試みを直ちに開始し得る。
【００２７】
[0040]ＵＥは、一般に、（３Ｇ−４Ｇハンドオーバが実装されない場合、圧縮モードが利用可能でないことがあるので）３Ｇ接続モード中に４Ｇネットワークにとって「ブラインド」であり得るので、３Ｇセル上でのＳＩＢ１９のネットワークブロードキャストは、利用可能なおよび基礎をなす４Ｇカバレージの高い確率と極めて良い見込みとがあることを示し得る。さらに、ＳＩＢ１９は、マルチレイヤ／マルチバンドＬＴＥ展開において有益であり得、４Ｇ再選択プロセスを加速するのを助け得る、キャリア周波数情報を与え得る。ブロードキャストされたＳＩＢ１９情報は許容ＰＬＭＮ（たとえば、ＨＰＬＭＮ、ＥＰＬＭＮ、ＶＰＬＭＮ）につながり得、これは、非許容ＰＬＭＮ上で再選択を走査することまたは試みることを回避し得る。さらに、いくつかの実施形態は、現在のＰＤＰコンテキストを保存することを可能にし得、したがってデータセッションへの影響を最小限に抑え得る。
【００２８】
[0041]ＳＩ２ｑｕａｔｅｒメッセージングを利用することによってなど、２Ｇ（たとえば、ＧＳＭ）−３Ｇ（たとえば、ＵＭＴＳ）ＲＡＴまたは４Ｇ（たとえば、ＬＴＥ）間などの異なるＲＡＴ間で遷移するために同様のツールおよび技法が利用され得る。追加または代替として、４Ｇ（たとえば、ＬＴＥ）から、ＬＴＥのリリース１０後のバージョンを含み得、本明細書では一般に５Ｇ  ＲＡＴと呼ばれることがある、後続のＲＡＴに遷移する際に同様のツールが採用され得る。
【００２９】
[0042]本明細書で説明する技法は、セルラーワイヤレスシステムなどの様々なワイヤレス通信システム、ピアツーピアワイヤレス通信、ワイヤレスローカルアクセスネットワーク（ＷＬＡＮ）、アドホックネットワーク、衛星通信システム、および他のシステムのために使用され得る。「システム」および「ネットワーク」という用語は、しばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を採用し得る。概して、ワイヤレス通信は、無線アクセス技術（ＲＡＴ）と呼ばれる１つまたは複数の無線通信技術の規格化された実装形態に従って行われる。無線アクセス技術を実装するワイヤレス通信システムまたはネットワークは無線アクセスネットワーク（ＲＡＮ）と呼ばれることがある。
【００３０】
[0043]ＣＤＭＡ技法を採用する無線アクセス技術の例としては、ＣＤＭＡ２０００、ユニバーサル地上波無線アクセス（ＵＴＲＡ：Universal Terrestrial Radio Access）などがある。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムの例としては、モバイル通信用グローバルシステム（ＧＳＭ：Global System for Mobile Communications）の様々な実装形態がある。ＯＦＤＭおよび／またはＯＦＤＭＡを採用する無線アクセス技術の例としては、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどがある。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。
【００３１】
[0044]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実施され得、様々なステップが追加、省略、または組み合わせられ得る。また、いくつかの実施形態に関して説明する特徴は、他の実施形態において組み合わせられ得る。
【００３２】
[0045]最初に図１を参照すると、図は、ワイヤレス通信システム１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ１２０の制御下で（本明細書では一般にユーザ機器（ＵＥ）と呼ばれる）通信デバイス１１５と通信し得る。場合によっては、コントローラ１２０は、コアネットワーク１３０と１つまたはオアの基地局１０５との間に配置され得る。基地局１０５は、バックホールリンク１３２を介してコアネットワーク１３０と制御情報および／またはユーザデータを通信し得る。バックホールリンクは、ワイヤードバックホールリンク（たとえば、銅、ファイバーなど）および／またはワイヤレスバックホールリンク（たとえば、マイクロ波など）であり得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３３】
[0046]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（たとえば、マクロ基地局、マイクロ基地局、および／またはピコ基地局）を含み得る。異なる技術のための重複するカバレージエリアがあり得る。いくつかの実施形態では、システム１００は、３Ｇ（たとえば、ＵＭＴＳ）および４Ｇ（たとえば、ＬＴＥ）ＲＡＴなど、異なる無線アクセス技術を含み得る。他の例としては、２Ｇ（たとえば、ＧＳＭ）ＲＡＴおよび／または５Ｇ（たとえば、ＬＴＥリリース１１以降）ＲＡＴがあり得る。これらの異なるＲＡＴを利用し得る異なる基地局またはセル１０５のカバレージは重複し得る。
【００３４】
[0047]いくつかの実施形態はＬＴＥ／ＬＴＥ−Ａ  ＲＡＴを含み得、ここで、発展型ノードＢ（ｅＮＢ）およびユーザ機器（ＵＥ）という用語は、概して、それぞれ基地局１０５およびデバイス１１５について説明するために使用され得る。システム１００は、異なるタイプのｅＮＢがその中で様々な地理的領域にカバレージを与える、異種（Heterogeneous）ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００３５】
[0048]ＵＥ１１５はワイヤレスネットワーク１００全体にわたって分散され、各ＵＥは固定またはモバイルであり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、概して、異なる基地局１０５と通信することが可能であり得、それらの基地局１０５は、２Ｇ、３Ｇ、４Ｇ、および／または５Ｇ  ＲＡＴなど、異なる無線アクセス技術を利用し得る基地局またはセル１０５を含み得る。
【００３６】
[0049]ネットワーク１００中に示された送信リンク１２５は、ユーザ機器１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、アップリンク送信は逆方向リンク送信と呼ばれることもある。
【００３７】
[0050]システム１００の異なる態様は、遷移をトリガするためにシステム情報メッセージを利用して異なるＲＡＴ間で遷移することをサポートするように構成され得る。いくつかの実施形態は、サービングセル１０５との接続モードにある間に第１の無線アクセス技術（ＲＡＴ）を介してサービングセル１０５からＵＥ１１５において受信され得るシステム情報メッセージを利用することを伴い得る。受信されたシステム情報メッセージに応答してサービングセル１０５との接続モードからサービングセル１０５とのアイドルモードへの遷移がＵＥ１１５によって開始され得る。受信されたシステム情報メッセージに応答してサービングセル１０５とのアイドルモードから第２のＲＡＴを利用するターゲットセル１０５への再選択が実施され得る。
【００３８】
[0051]コアネットワーク１３０、コントローラ１２０、および／または基地局／セル１０５など、システム１００の他の態様は、異なるＲＡＴ間での遷移をプロンプトするように構成され得る。たとえば、第１の無線アクセス技術（ＲＡＴ）を利用する第１のセル１０５が識別され得る。第２のＲＡＴを利用する第２のセル１０５が識別され得、ここで、第２のセル１０５のカバレージが第１のセル１０５の基礎をなし得る。システム情報メッセージは、システム情報メッセージに応答して、第１のセル１０５との接続モードから第１のセル１０５とのアイドルモードに遷移し、第１のセル１０５から第２のＲＡＴを利用するターゲットセル１０５への再選択を実施するように、ユーザ機器１１５にプロンプトするために生成され得る。システム情報メッセージはユーザ機器１１５に送信され得る。
【００３９】
[0052]異なるＲＡＴ間でのこれらの遷移ツールおよび技法の異なる実施形態に関するさらなる例および詳細について本明細書でより詳細に説明する。
【００４０】
[0053]図２に、様々な実施形態による、再選択をサポートするワイヤレス通信システム２００を示す。ワイヤレス通信ネットワーク２００は、たとえば、ワイヤレス通信ネットワーク１００の態様を示し得る。ワイヤレス通信システム２００は、バックホールリンク１３２を介してコアネットワーク１３０−ａに接続された基地局１０５−ａおよび１０５−ｂを含み得る。基地局１０５−ａおよび１０５−ｂはバックホールリンク１３４を介して互いに接続され得る。ワイヤレス通信システム２００は、コアネットワーク１３０−ａと基地局１２０−ａとに接続され得る、コントローラ１２０−ａを含み得、いくつかの実施形態では、コントローラ１２０−ａはコアネットワーク１３０−ａの構成要素であり得る。基地局１０５−ａおよび基地局１０５−ｂサイトは、重複し得る、それぞれの地理的エリア１１０−ａおよび１１０−ｂにそれぞれ通信カバレージを与え得る。場合によっては、基地局１０５−ａと基地局１０５−ｂはコロケートされ得る。
【００４１】
[0054]ＵＥ１１５−ａ、基地局１０５−ａ／１０５−ｂ、コアネットワーク１３０−ａ、および／またはコントローラ１２０−ａなど、システム２００の異なる態様は、遷移をトリガするためにシステム情報メッセージを利用して異なるＲＡＴ間で遷移するために構成され得る。たとえば、ＵＥ１１５−ａは、基地局１０５−ａとの接続モードにある間に第１の無線アクセス技術（ＲＡＴ）を介して基地局１０５−ａから通信リンク１２５−ａを介してシステム情報メッセージを受信し得る。通信リンク１２５−ａは、基地局１０５−ａとＵＥ１１５−ａとの間の無線リンクと呼ばれることがあるか、またはそれを含み得る。受信されたシステム情報メッセージに応答して基地局１０５−ａとの接続モードから基地局１０５−ａとのアイドルモードへの遷移がＵＥ１１５−ａによって開始され得る。受信されたシステム情報メッセージに応答して基地局１０５−ａとのアイドルモードから第２のＲＡＴを利用する基地局１０５−ｂへの再選択がＵＥ１１５−ａによって実施され得、この再選択プロシージャは、ＵＥ１１５−ａと基地局１０５−ｂとの間の通信リンク１２５−ｂを利用し得る。いくつかの実施形態では、第１のＲＡＴは３Ｇ  ＲＡＴを含み得、第２のＲＡＴは４Ｇ  ＲＡＴを含み得るが、ＲＡＴの他の組合せも企図される。遷移は、場合によっては、ＵＥ１１５−ａが地理的エリア１１０−ａと地理的エリア１１０−ｂとの間の重複するカバレージエリア中にあるとき、行われ得る。
【００４２】
[0055]コアネットワーク１３０−ａ、コントローラ１２０−ａ、および／または基地局１０５−ａなど、システム２００の他の態様は、異なるＲＡＴ間での遷移、または基地局１０５−ａから基地局１０５−ｂへの遷移をプロンプトするように構成され得る。たとえば、基地局１０５−ａは、第１のＲＡＴ（たとえば、２Ｇまたは３Ｇ）を利用するものとして識別され得る。基地局１０５−ｂは、第２のＲＡＴ（たとえば、３Ｇまたは４Ｇ）を利用するものとして識別され得、ここで、基地局１０５−ｂの地理的エリア１１０−ｂは基地局１０５−ａの地理的エリア１１０−ａの基礎をなす。たとえばＳＩＢまたはＳＩ２ｑｕａｔｅｒなど、システム情報メッセージは、システム情報メッセージに応答して、基地局１０５−ａとの接続モードから基地局１０５−ａとのアイドルモードに遷移し、基地局１０５−ａから第２のＲＡＴを利用する基地局１０５−ｂへの再選択を実施するように、ユーザ機器１１５−ａにプロンプトするために生成され得る。ＵＥ１１５−ａは、受信されたシステム情報メッセージを復号することなしに遷移を開始し得る。すなわち、いくつかの実施形態では、あるシステム情報（たとえば、ＳＩＢ１９）の単なる存在が、遷移を開始するようにＵＥ１１５−ａをトリガする。システム情報メッセージは基地局１０５−ａからユーザ機器１１５−ａに送信され得る。場合によっては、コアネットワーク１３０−ａがこれらのステップのうちの１つまたは複数を実施し得る。
【００４３】
[0056]上記で説明したように、これらのツールおよび技法は、マルチＲＡＴ展開内で遷移する際に現れ得る様々な異なる問題に対処し得る。システム２００のいくつかの実施形態は、ＵＥ１１５−ａ開始型複合接続−アイドルモード遷移および連続する３Ｇ−４Ｇ再選択のためのトリガまたはインジケータとして、３Ｇ  ＲＲＣ接続状態中に、基地局１０５−ａに関連するセルなど、サービング３ＧセルのＳＩＢ１９ブロードキャストなど、システム情報メッセージと、それぞれのＵＥ検出とを利用することによって、これらの問題に対処し得る。ＲＲＣ  ＤＣＨ接続状態でのＳＩＢ１９の検出に基づいて、ＵＥ１１５−ａは、３Ｇ  ＲＲＣ接続解放を開始するために、基地局１０５−ａに送信される、シグナリング接続解放指示（ＳＣＲＩ）をトリガし得る。３ＧネットワークによってＲＲＣアイドルに移されると、ＵＥ１１５−ａは、３Ｇから４Ｇへの非ブラインド再選択試みを直ちに開始し得る。
【００４４】
[0057]ＵＥ１１５−ａは、一般に、（３Ｇ−４Ｇハンドオーバが実装されない場合、圧縮モードが利用可能でないことがあるので）３Ｇ接続モード中に４Ｇネットワーク（たとえば、基地局１０５−ｂ）にとって「ブラインド」であり得るので、３Ｇセル上でのＳＩＢ１９のネットワークブロードキャストは、利用可能なおよび基礎をなす４Ｇカバレージの高い確率と極めて良い見込みとがあることを示し得る。さらに、ＳＩＢ１９は、マルチレイヤ／マルチバンドＬＴＥ展開において極めて有益となり、４Ｇ再選択プロセスを加速するのを助ける、キャリア周波数情報を与え得る。ブロードキャストされたＳＩＢ１９情報は許容ＰＬＭＮ（ＨＰＬＭＮ、ＥＰＬＭＮまたはＶＰＬＭＮ）につながり得、これは、ＵＥ１１５−ａが非許容ＰＬＭＮを走査することまたは試みることを回避することを可能にし得る。さらに、いくつかの実施形態は、現在のＰＤＰコンテキストを保存することを可能にし得、したがってデータセッションへの影響を最小限に抑え得る。
【００４５】
[0058]ＳＩ２ｑｕａｔｅｒメッセージングを利用することによってなど、２Ｇ（たとえば、ＧＳＭ）−３Ｇ（たとえば、ＵＭＴＳ）ＲＡＴ間などの異なるＲＡＴ間で遷移するために同様のツールおよび技法が利用され得る。他の例では、ＵＥ１１５−ａは、５Ｇ  ＲＡＴターゲットセルに遷移するために、たとえば、４Ｇ  ＲＡＴサービングセルとの、無線リンクの無線リンク失敗（ＲＬＦ）を示し得る。他のＲＡＴを利用し得る利用可能なまたは近くのセルに関するネイバーリストおよび／または情報など、他のメッセージタイプも利用され得る。
【００４６】
[0059]図３を参照すると、様々な実施形態による状態図３００が示されている。場合によっては、ＵＥが第１のＲＡＴ（たとえば、２Ｇまたは３Ｇ  ＲＡＴ）との接続モード３０５にあり得る。システム情報メッセージ（たとえば、ＳＩＢ１９、ＳＩ２ｑｕａｔｅｒ、ネイバーリストなど）を受信したことに基づいて、第１のＲＡＴに関するアイドルモード３１０への遷移３０７がプロンプトされ得る。ＵＥは、３１２において、第１のＲＡＴのアイドルモード３１０から第２のＲＡＴ（たとえば、３Ｇまたは４Ｇ）に敏速に遷移し得る。いくつかの実施形態では、遷移を開始することは、ＲＬＦを示すことを備え得る。これは、概して、第２のＲＡＴに関するアイドルモードへの遷移を伴い得る。第１のＲＡＴと第２のＲＡＴは、概して、異なるタイプのＲＡＴである。場合によっては、ＵＥは第２のＲＡＴとの接続モードにも遷移し得る。場合によっては、ＵＥは、３２２において、第２のＲＡＴに関するアイドルまたは接続モード３１５から第１のＲＡＴに遷移し得る。これは、たとえば、第２のＲＡＴがカバレージ切れになったとき、またはＵＥが第１のＲＡＴへのボイス呼のための回線交換フォールバックプロシージャを実施した後、起こり得る。これは、場合によっては遷移３０７および／または３１２が行われる前に行われ得る。
【００４７】
[0060]次に図４Ａおよび図４Ｂを参照すると、ブロック図が、様々な実施形態による、それぞれ再選択のために構成された、デバイス４００−ａおよび４００−ｂを示している。デバイス４００−ａおよび４００−ｂは、図１、図２、図５、図７、および／または図８のユーザ機器１１５の態様の一例であり得る。デバイス４００−ａおよび４００−ｂはプロセッサでもあり得る。デバイス４００−ａは、受信機モジュール４０５、システム情報ベース再選択モジュール４１０、および／または送信機モジュール４１５を含み得る。デバイス４００−ｂは受信機モジュール４０５および／または送信機モジュール４１５を含み得る。デバイス４００−ｂは、システム情報（ＳＩ）検出モジュール４１１、ＳＩ開始型アイドルモードモジュール４１２、および／またはＳＩ開始型再選択モジュール４１３を含み得る、システム情報ベース再選択モジュール４１０−ａを含み得る。これらの構成要素の各々は互いに通信していることがある。
【００４８】
[0061]デバイス４００−ａおよび／またはデバイス４００−ｂのこれらの構成要素は、個別にまたは集合的に、ハードウェア中の適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００４９】
[0062]受信機モジュール４０５は、パケット、データ、ならびに／あるいはデバイス４００−ａおよび／またはデバイス４００−ｂが受信または送信したものに関するシグナリング情報などの情報を受信し得る。
【００５０】
[0063]いくつかの実施形態では、システム情報ベース再選択モジュール４１０および／またはシステム情報ベース再選択モジュール４１０−ａは、ＳＩ検出モジュール４１１を通して、サービングセルとの接続モードにある間に第１の無線アクセス技術（ＲＡＴ）を介してサービングセルからシステム情報メッセージを受信するように構成され得る。システム情報ベース再選択モジュール４１０および／またはシステム情報ベース再選択モジュール４１０−ａは、ＳＩ開始型アイドルモードモジュール４１２を通して、受信されたシステム情報メッセージに応答してサービングセルとの接続モードからサービングセルとのアイドルモードへの遷移を開始するように構成され得る。システム情報ベース再選択モジュール４１０および／またはシステム情報ベース再選択モジュール４１０−ａは、ＳＩ開始型再選択モジュール４１３を通して、受信されたシステム情報メッセージに応答してサービングセルとのアイドルモードから第２のＲＡＴを利用するターゲットセルへの再選択を実施するように構成され得る。
【００５１】
[0064]いくつかの実施形態では、システム情報メッセージはシステム情報ブロック（ＳＩＢ）を含む。ＳＩＢは、いくつかの場合にはＳＩＢ１９を含み得る。ＳＩＢは、他の場合にはＳＩ２ｑｕａｔｅｒを含み得る。システム情報メッセージはネイバーリストを含み得る。システム情報メッセージは、第２のＲＡＴによる基礎をなすカバレージを示す情報を含み得る。いくつかの実施形態では、システム情報メッセージは第２のＲＡＴに関するキャリア周波数情報を含む。
【００５２】
[0065]いくつかの実施形態では、システム情報ベース再選択モジュール４１０および／またはシステム情報ベース再選択モジュール４１０−ａは、ＳＩ検出モジュール４１１を通して、ＲＲＣ接続状態中にシステム情報メッセージを受信するように構成され得る。システム情報ベース再選択モジュール４１０および／またはシステム情報ベース再選択モジュール４１０−ａは、遷移を開始するように構成されたＳＩ開始型アイドルモードモジュール４１２を通して、受信されたシステム情報メッセージに応答して接続解放を開始するように構成され得る。いくつかの実施形態は、接続解放を開始するためにシグナリング接続解放指示を送信するために送信機モジュール４０５を利用し得る。場合によっては、システム情報ベース再選択モジュール４１０および／またはシステム情報ベース再選択モジュール４１０−ａは、ＳＩ開始型アイドルモードモジュール４１２を通して、接続解放メッセージを送信することによってアイドルに遷移されるためにＲＲＣ接続を解放したいというそれの望みを表し得る。他の実施形態では、システム情報ベース再選択モジュール４１０および／またはシステム情報ベース再選択モジュール４１０−ａは、ＳＩ開始型アイドルモードモジュール４１２および／または送信機モジュール４０５を通してＲＬＦを示し得る。場合によっては、ＲＬＦは、再送信要求の数がＲＬＦのためのしきい値を超えるように、送信機モジュール４０５を介して基地局１０５にその数の再送信要求を意図的に送信することによって示される。いくつかの例では、ＲＬＦは、しきい値時間期間の間送信しないことおよび／または非アクティブのままであることによって示される。
【００５３】
[0066]いくつかの実施形態では、第１のＲＡＴは３Ｇ  ＲＡＴを含む。第１のＲＡＴは２Ｇ  ＲＡＴを含み得る。いくつかの実施形態では、第２のＲＡＴは４Ｇ  ＲＡＴを含む。第２のＲＡＴは３Ｇ  ＲＡＴを含み得る。さらに他の実施形態では、第１のＲＡＴは４Ｇ  ＲＡＴを含み、第２のＲＡＴは５Ｇ  ＲＡＴを含む。
【００５４】
[0067]いくつかの実施形態では、デバイス４００−ａおよび／またはデバイス４００−ｂは、第１のＲＡＴから第２のＲＡＴへのＲＡＴ間ハンドオーバ、および／または第１のＲＡＴから第２のＲＡＴへの自律ＵＥハンドオーバをサポートしないか、またはそれのためのサポートなしに構成された、ワイヤレス通信システムの一部であり得る。いくつかの実施形態では、デバイス４００−ａおよび／またはデバイス４００−ｂは、アイドルモード中にタイマーを無視するように構成され得る。いくつかの実施形態では、デバイス４００−ａおよび／またはデバイス４００−ｂは、アイドルモード中に第１のセルから受信された追加のシステム情報メッセージを利用することを控えるように構成され得る。
【００５５】
[0068]いくつかの実施形態では、受信されたシステム情報はデバイス４００−ａおよび／またはデバイス４００−ｂを許容ＰＬＭＮにダイレクトする。いくつかの実施形態では、デバイス４００−ａおよび／またはデバイス４００−ｂは、システム情報メッセージを受信することより前から、再選択を実施することの後まで、現在のＰＤＰコンテキストを保存するように構成され得る。
【００５６】
[0069]いくつかの実施形態では、システム情報ベース再選択モジュール４１０および／またはシステム情報ベース再選択モジュール４１０−ａは、ＳＩ開始型アイドルモードモジュール４１２を通して、デバイス４００−ａおよび／またはデバイス４００−ｂが第１のセルからデータを受信することを予想し得る間、アイドルモードへの遷移を開始するように構成され得る。いくつかの実施形態では、システム情報ベース再選択モジュール４１０および／またはシステム情報ベース再選択モジュール４１０−ａは、ＳＩ開始型再選択モジュールを通して、非ブラインド試みを実施するように構成され得る。システム情報ベース再選択モジュール４１０および／またはシステム情報ベース再選択モジュール４１０−ａは、ＳＩ開始型再選択モジュールを通して、アイドルモードに遷移した後に敏速に再選択を実施する（たとえば、開始する）ように構成され得る。
【００５７】
[0070]図５は、様々な実施形態による、再選択のために構成されたユーザ機器１１５−ｂのブロック図５００である。ユーザ機器１１５−ｂは、パーソナルコンピュータ（たとえば、ラップトップコンピュータ、ネットブックコンピュータ、タブレットコンピュータなど）、セルラー電話、ＰＤＡ、スマートフォン、デジタルビデオレコーダ（ＤＶＲ）、インターネットアプライアンス、ゲームコンソール、電子リーダーなど、様々な構成のいずれかを有し得る。ユーザ機器１１５−ｂは、モバイル動作を可能にするために、小型バッテリーなどの内部電源（図示せず）を有し得る。いくつかの実施形態では、ユーザ機器１１５−ｂは、図１、図２、図３、図７および／または図８のユーザ機器１１５であり得る。
【００５８】
[0071]ユーザ機器１１５−ｂは、概して、通信を送信するための構成要素と通信を受信するための構成要素とを含む、双方向ボイスおよびデータ通信のための構成要素を含み得る。ユーザ機器１１５−ｂは、（たとえば、１つまたは複数のバスを介して）直接または間接的にそれぞれ互いに通信し得る、トランシーバモジュール５１０と、（１つまたは複数の）アンテナ５０５と、メモリ５８０と、プロセッサモジュール５７０とを含み得る。トランシーバモジュール５１０は、上記で説明したように、（１つまたは複数の）アンテナ５０５および／あるいは１つまたは複数のワイヤードまたはワイヤレスリンクを介して、１つまたは複数のネットワークと双方向に通信するように構成される。たとえば、トランシーバモジュール５１０は、図１、図２、および／または図８の基地局１０５ならびに／あるいは図７のＲＡＮ１２１と双方向に通信するように構成され得る。トランシーバモジュール５１０は、パケットを変調し、変調されたパケットを送信のために（１つまたは複数の）アンテナ５０５に与え、（１つまたは複数の）アンテナ５０５から受信されたパケットを復調するように構成されたモデムを含み得る。ユーザ機器１１５−ｂは単一のアンテナ５０５を含み得るが、ユーザ機器１１５−ｂは、複数のワイヤレス送信を同時に送信および／または受信することが可能な複数のアンテナ５０５を有し得る。トランシーバモジュール５１０は、複数のコンポーネントキャリアを介して複数のｅＮＢと同時に通信することが可能であり得る。
【００５９】
[0072]メモリ５８０は、ランダムアクセスメモリ（ＲＡＭ）および読取り専用メモリ（ＲＯＭ）を含み得る。メモリ５８０は、実行されるとプロセッサモジュール５７０に本明細書で説明する様々な機能（たとえば、呼処理、データベース管理、ハンドオーバ遅延のキャプチャなど）を実施させるように構成された命令を含んでいるコンピュータ可読、コンピュータ実行可能ソフトウェア／ファームウェアコード５８５を記憶し得る。代替的に、ソフトウェア／ファームウェアコード５８５は、プロセッサモジュール５７０によって直接的に実行可能でないことがあるが、（たとえば、コンパイルされ実行されると）コンピュータに本明細書で説明する機能を実施させるように構成され得る。
【００６０】
[0073]プロセッサモジュール５７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。ユーザ機器１１５−ｂは、マイクロフォンを介してオーディオを受信し、そのオーディオを、受信されたオーディオを表す（たとえば、長さ２０ｍｓ、長さ３０ｍｓなどの）パケットに変換し、そのオーディオパケットをトランシーバモジュール５１０に与え、ユーザが話しているかどうかの指示を与えるように構成された、音声エンコーダ（図示せず）を含み得る。
【００６１】
[0074]図５のアーキテクチャによれば、ユーザ機器１１５−ｂは通信管理モジュール５６０および／またはシステム情報ベース再選択モジュール４１０−ｂをさらに含み得る。システム情報ベース再選択モジュール４１０−ｂは、ＳＩ検出モジュール４１１−ａ、ＳＩ開始型アイドルモードモジュール４１２−ａ、および／またはＳＩ開始型再選択モジュール４１３−ａを含み得る。例として、これらのモジュールは、バスを介してユーザ機器１１５−ｂの他の構成要素の一部または全部と通信しているユーザ機器１１５−ｂの構成要素であり得る。代替的に、これらのモジュールの機能が、トランシーバモジュール５１０の構成要素として、コンピュータプログラム製品として、および／またはプロセッサモジュール５７０の１つまたは複数のコントローラ要素として実装され得る。
【００６２】
[0075]ユーザ機器１１５−ｂは、様々な実施形態に従って再選択のために構成され得る。ユーザ機器１１５−ｂのための構成要素は、図４Ａのデバイス４００−ａおよび／または図４Ｂのデバイス４００−ｂに関して上記で説明した態様を実装するように構成され得、簡潔のためにここで繰り返さないことがある。たとえば、システム情報ベース再選択モジュール４１０−ｂは、システム情報ベース再選択モジュール４１０または４１０−ａの１つまたは複数の態様の一例であり得、ＳＩ検出モジュール４１１−ａは、ＳＩ検出モジュール４１１の１つまたは複数の態様の一例であり得、ＳＩ開始型アイドルモードモジュール４１２−ａは、ＳＩ開始型アイドルモードモジュール４１２の１つまたは複数の態様の一例であり得、および／あるいは、ＳＩ開始型再選択モジュール４１３−ａは、ＳＩ開始型再選択モジュール４１３の１つまたは複数の態様の一例であり得る。
【００６３】
[0076]次に図６Ａおよび図６Ｂを参照すると、ブロック図が、様々な実施形態による、それぞれ再選択をプロンプトするために構成された、デバイス６００−ａおよび６００−ｂを示している。デバイス６００−ａおよび６００−ｂは、図１、図２、および／または図７のコアネットワーク１３０、図１および／または図２のコントローラ１２０、図１、図２、および／または図８の基地局１０５、ならびに／あるいは図７のＲＡＮ１２１の態様の一例であり得る。デバイス６００−ａおよび６００−ｂはプロセッサでもあり得る。デバイス６００−ａは、受信機モジュール６０５、システム情報再選択プロンプトモジュール（system information prompting reselection module）６１０、および／または送信機モジュール６１５を含み得る。デバイス６００−ｂは受信機モジュール６０５および／または送信機モジュール６１５を含み得る。デバイス６００−ｂは、セル識別モジュール６１１および／またはシステム情報生成モジュール６１２を含み得る、システム情報再選択プロンプトモジュール６１０−ａを含み得る。これらの構成要素の各々は互いに通信していることがある。
【００６４】
[0077]デバイス６００−ａおよび／またはデバイス６００−ｂのこれらの構成要素は、個別にまたは集合的に、ハードウェア中の適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６５】
[0078]受信機モジュール６０５は、パケット、データ、ならびに／あるいはデバイス６００−ａおよび／またはデバイス６００−ｂが受信または送信したものに関するシグナリング情報などの情報を受信し得る。
【００６６】
[0079]いくつかの実施形態では、システム情報再選択プロンプトモジュール６１０および／またはシステム情報再選択プロンプトモジュール６１０−ａは、セル識別モジュール６１１を通して、第１の無線アクセス技術（ＲＡＴ）を利用する第１のセルを識別するように構成され得る。システム情報再選択プロンプトモジュール６１０および／またはシステム情報再選択プロンプトモジュール６１０−ａは、セル識別モジュール６１１を通して、第２のＲＡＴを利用する第２のセルを識別するように構成され得、ここで、第２のセルのカバレージが第１のセルの基礎をなす。いくつかの実施形態では、システム情報再選択プロンプトモジュール６１０および／またはシステム情報再選択プロンプトモジュール６１０−ａは、システム情報生成モジュール６１２を通して、システム情報メッセージに応答して、第１のセルとの接続モードから第１のセルとのアイドルモードに遷移し、第１のセルから第２のＲＡＴを利用するターゲットセルへの再選択を実施するように、ユーザ機器にプロンプトするためにシステム情報メッセージを生成するように構成され得る。場合によっては、ＵＥによって再選択をプロンプトすることは、システム情報メッセージを受信したことに基づいて再選択を決定し、それに進むようにＵＥをサポートおよび／または誘導することを含み得る。場合によっては、再選択は、アイドルモードでのＵＥ自律決定およびプロセスを伴い得、これは、システム情報メッセージおよび／またはそれぞれのパラメータ設定を受信することによってサポートされ、および／または潜在的に誘導され得る。トランシーバモジュール６１０は、ユーザ機器にシステム情報メッセージを送信するように構成され得る。
【００６７】
[0080]いくつかの実施形態では、システム情報メッセージはシステム情報ブロック（ＳＩＢ）を含む。ＳＩＢは、いくつかの場合にはＳＩＢ１９を含み得る。ＳＩＢは、他の場合にはＳＩ２ｑｕａｔｅｒを含み得る。システム情報メッセージはネイバーリストを含み得る。システム情報メッセージは、第２のＲＡＴによる基礎をなすカバレージを示す情報を含み得る。
【００６８】
[0081]いくつかの実施形態では、送信機モジュール６１０は、ＲＲＣ接続状態中にそれが行われるように、システム情報メッセージを送信するように構成され得る。システム情報再選択プロンプトモジュール６１０および／またはシステム情報再選択プロンプトモジュール６１０−ａは、セル識別モジュール６１１を通して、第２のセルの利用可能性ことを決定するように構成され得る。受信機モジュール６０５は、いくつかの実施形態ではシステム情報メッセージを送信したことに応答して接続解放メッセージを受信するように構成され得る。接続解放メッセージを受信することは、接続解放を開始するためにシグナリング接続解放指示を受信することを含み得る。場合によっては、ＵＥが、デバイス６００−ａおよび／またはデバイス６００−ｂに接続解放メッセージを送信することによってアイドルに遷移されるためにＲＲＣ接続を解放したいというそれの望みを表し得る。デバイス６００−ａおよび／またはデバイス６００−ｂはＲＲＣ状態遷移を制御し得る。
【００６９】
[0082]いくつかの実施形態では、第１のＲＡＴは３Ｇ  ＲＡＴを含む。第１のＲＡＴは２Ｇ  ＲＡＴを含み得る。いくつかの実施形態では、第２のＲＡＴは４Ｇ  ＲＡＴを含む。第２のＲＡＴは３Ｇ  ＲＡＴを含み得る。追加または代替として、第１のＲＡＴおよび第２のＲＡＴは、それぞれ４Ｇ  ＲＡＴおよび５Ｇ  ＲＡＴを含み得る。
【００７０】
[0083]いくつかの実施形態では、デバイス６００−ａおよび／またはデバイス６００−ｂは、第１のＲＡＴから第２のＲＡＴへのＲＡＴ間ハンドオーバをサポートしないワイヤレス通信システムの一部であり得る。いくつかの実施形態では、システム情報再選択プロンプトモジュール６１０および／またはシステム情報再選択プロンプトモジュール６１０−ａは、システム情報生成モジュール６１２を通して、送信されたシステム情報がＵＥを許容ＰＬＭＮにダイレクトするようにように構成され得る。デバイス６００−ａおよび／またはデバイス６００−ｂのいくつかの実施形態は、システム情報メッセージを受信することより前から、再選択を実施することの後まで、現在のＰＤＰコンテキストを保存するように構成され得る。いくつかの実施形態では、デバイス６００−ａおよび／またはデバイス６００−ｂは、ＵＥがＲＡＴ遷移の異なる方法を許容することに気づいているワイヤレス通信システムの一部であり得る。
【００７１】
[0084]図７に、様々な実施形態による、ワイヤレス通信システムのためにモビリティを利用するために構成され得る通信システム７００のブロック図を示す。このシステム７００は、図１に示されたシステム１００、図２のシステム２００、および／または図８のシステム８００の態様を含み得るコアネットワーク１３０−ｂは、メモリ７７０と、プロセッサモジュール７６５とを含み得、その各々は、（たとえば、１つまたは複数のバスを介して）互いに直接または間接的に通信していることがある。場合によっては、コアネットワーク１３０−ｂはネットワーク通信モジュール７７５の他の態様と通信し得る。
【００７２】
[0085]コアネットワーク１３０−ｂはまた、無線アクセスネットワーク（ＲＡＮ）１２１−ｉ／１２１−ｊと通信し得る。無線アクセスネットワーク１２１は、場合によってはコロケートされるか、または別々に配置され得る。無線アクセスネットワーク１２１はユーザ機器１１５−ｃとワイヤレス通信していることがある。場合によっては、コアネットワーク１３０−ｂは、無線アクセスネットワーク通信モジュール７２０を利用して無線アクセスネットワーク１２１と通信し得る。無線アクセスネットワーク１２１は異なる無線アクセス技術（ＲＡＴ）を利用し得る。たとえば、ＲＡＮ１２１−ｉは３Ｇ  ＲＡＴを利用し得、ＲＡＮ１２１−ｊは４Ｇ  ＲＡＴを利用し得る。別の例では、ＲＡＮ１２１−ｉは２Ｇ  ＲＡＴを利用し得、ＲＡＮ１２１−ｊは３Ｇ  ＲＡＴまたは４Ｇ  ＲＡＴを利用し得る。代替的に、ＲＡＮ１２１−Ｉは４Ｇ  ＲＡＴを利用し得、ＲＡＮ１２１−ｊは５Ｇ  ＲＡＴを利用し得る。
【００７３】
[0086]メモリ７７０は、ランダムアクセスメモリ（ＲＡＭ）および読取り専用メモリ（ＲＯＭ）を含み得る。メモリ７７０は、実行されるとプロセッサモジュール７６５に本明細書で説明する様々な機能（たとえば、呼処理、データベース管理、メッセージルーティングなど）を実施させるように構成された命令を含んでいるコンピュータ可読、コンピュータ実行可能ソフトウェアコード７７１をも記憶し得る。代替的に、ソフトウェア７７１は、プロセッサモジュール７６５によって直接的に実行可能でないことがあるが、たとえば、コンパイルされ実行されると、コンピュータに本明細書で説明する機能を実施させるように構成され得る。
【００７４】
[0087]プロセッサモジュール７６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール７６５は、マイクロフォンを介してオーディオを受信し、そのオーディオを、受信されたオーディオを表す（たとえば、長さ２０ｍｓの）パケットに変換し、そのオーディオパケットを与え、ユーザが話しているかどうかの指示を与えるように構成された、音声エンコーダ（図示せず）を含み得る。
【００７５】
[0088]図７のアーキテクチャによれば、コアネットワーク１３０−ｂは通信管理モジュール７３０をさらに含み得る。通信管理モジュール７３０は、ユーザ機器１１５−ｃとの通信など、通信通信の他の態様を管理し得る。例として、通信管理モジュール７３０は、バスを介してコアネットワーク１３０−ｂの他の構成要素の一部または全部と通信しているコアネットワーク１３０−ｂの構成要素であり得る。代替的に、通信管理モジュール７３０の機能が、無線アクセスネットワーク通信モジュール７２０の構成要素として、コンピュータプログラム製品として、および／またはプロセッサモジュール７６５の１つまたは複数のコントローラ要素として実装され得る。
【００７６】
[0089]コアネットワーク１３０−ｂのための構成要素は、デバイス６００−ａおよび／またはデバイス６００−ｂに関して上記で説明した態様を実装するように構成され得、簡潔のためにここで繰り返さないことがある。システム情報再選択プロンプトモジュール６１０−ｂは、システム情報再選択プロンプトモジュール６１０および／またはシステム情報再選択プロンプトモジュール６１０−ａの一例であり得る。セル識別モジュール６１１−ａはセル識別モジュール６１１の一例であり得る。システム情報生成モジュール６１２−はシステム情報生成モジュール６１２の一例であり得る。
【００７７】
[0090]図８は、様々な実施形態による、基地局１０５−ｃとユーザ機器１１５−ｄとを含むシステム８００のブロック図である。このシステム８００は、図１のシステム１００、図２のシステム２００、および／または図７のシステム７００の一例であり得る。基地局１０５−ｃはアンテナ８３４−ａ〜８３４−ｘを装備し得、ユーザ機器１１５−ｄはアンテナ８５２−ａ〜８５２−ｎを装備し得る。基地局１０５−ｃにおいて、送信プロセッサ８２０がデータソースからデータを受信し得る。
【００７８】
[0091]送信プロセッサ８２０はデータを処理し得る。送信プロセッサ８２０はまた、基準シンボルとセル固有基準信号とを生成し得る。送信（ＴＸ）ＭＩＭＯプロセッサ８３０が、適用可能な場合、データシンボル、制御シンボル、および／または基準シンボルに対して空間処理（たとえば、プリコーディング）を実施し得、出力シンボルストリームを送信変調器８３２−ａ〜８３２−ｘに与え得る。各変調器８３２は、出力サンプルストリームを取得するために、（たとえば、ＯＦＤＭなどのために）それぞれの出力シンボルストリームを処理し得る。各変調器８３２はさらに、ダウンリンク（ＤＬ）信号を取得するために、出力サンプルストリームを処理（たとえば、アナログへの変換、増幅、フィルタ処理、およびアップコンバート）し得る。一例では、変調器８３２−ａ〜８３２−ｘからのＤＬ信号は、それぞれアンテナ８３４−ａ〜８３４−ｘを介して送信され得る。送信プロセッサ８２０はプロセッサ８４０から情報を受信し得る。プロセッサ８４０はメモリ８４２と結合され得る。
【００７９】
[0092]たとえば、システム８００内で、プロセッサ８４０は再選択をプロンプトするように構成され得る。たとえば、プロセッサ８４０は、第１の無線アクセス技術（ＲＡＴ）を利用する第１のセルを識別するように構成され得る。プロセッサ８４０は、第２のＲＡＴを利用する第２のセルを識別するように構成され得、ここで、第２のセルのカバレージが第１のセルの基礎をなす。プロセッサ８４０は、システム情報メッセージに応答して、第１のセルとの接続モードから第１のセルとのアイドルモードに遷移し、第１のセルから第２のＲＡＴを利用するターゲットセルへの再選択を実施するように、ユーザ機器１１５−ｄにプロンプトするためにシステム情報メッセージを生成するように構成され得る。Ｔｘプロセッサ８２０は、ユーザ機器１１５−ｄにシステム情報メッセージを送信するように構成され得る。
【００８０】
[0093]いくつかの実施形態では、システム情報メッセージはシステム情報ブロック（ＳＩＢ）を含む。ＳＩＢは、いくつかの場合にはＳＩＢ１９を含み得る。ＳＩＢは、他の場合にはＳＩ２ｑｕａｔｅｒを含み得る。システム情報メッセージはネイバーリストを含み得る。システム情報メッセージは、第２のＲＡＴによる基礎をなすカバレージを示す情報を含み得る。いくつかの実施形態では、第１のＲＡＴは３Ｇ  ＲＡＴを含む。第１のＲＡＴは２Ｇ  ＲＡＴまたは４Ｇ  ＲＡＴを含み得る。いくつかの実施形態では、第２のＲＡＴは４Ｇ  ＲＡＴを含む。第２のＲＡＴは３Ｇ  ＲＡＴまたは５Ｇ  ＲＡＴを含み得る。
【００８１】
[0094]ユーザ機器１１５−ｄにおいて、ユーザ機器アンテナ８５２−ａ〜８５２−ｎは、基地局１０５−ｃからＤＬ信号を受信し得、受信信号をそれぞれ復調器８５４−ａ〜８５４−ｎに与え得る。各復調器８５４は、入力サンプルを取得するために、それぞれの受信信号を調整（たとえば、フィルタ処理、増幅、ダウンコンバート、およびデジタル化）し得る。各復調器８５４はさらに、受信シンボルを取得するために、（たとえば、ＯＦＤＭなどのために）入力サンプルを処理し得る。ＭＩＭＯ検出器８５６は、すべての復調器８５４−ａ〜８５４−ｎから受信シンボルを取得し、適用可能な場合は受信シンボルに対してＭＩＭＯ検出を実施し、検出されたシンボルを与え得る。受信プロセッサ８５８が、検出されたシンボルを処理（たとえば、復調、デインターリーブ、および復号）し、ユーザ機器１１５−ｄの復号されたデータをデータ出力に与え、復号された制御情報をプロセッサ８８０、またはメモリ８８２に与え得る。
【００８２】
[0095]アップリンク（ＵＬ）または逆方向リンク上で、ユーザ機器１１５−ｄにおいて、送信プロセッサ８６４がデータソースからデータを受信し、処理し得る。送信機プロセッサ８６４はまた、基準信号のための基準シンボルを生成し得る。送信プロセッサ８６４からのシンボルは、適用可能な場合は送信ＭＩＭＯプロセッサ８６６によってプリコーディングされ、さらに（たとえば、ＳＣ−ＦＤＭＡなどのために）復調器８５４−ａ〜８５４−ｎによって処理され、基地局１０５−ｃから受信された送信パラメータに従って基地局１０５−ｃに送信され得る。
【００８３】
[0096]基地局１０５−ｃにおいて、ユーザ機器１１５−ｄからのＵＬ信号は、アンテナ８３４によって受信され、復調器８３２によって処理され、適用可能な場合はＭＩＭＯ検出器８３６によって検出され、さらに受信プロセッサによって処理され得る。受信プロセッサ８３８は、復号されたデータをデータ出力とプロセッサ８８０とに与え得る。いくつかの実施形態では、プロセッサ８８０は、汎用プロセッサ、送信プロセッサ８６４、および／または受信機プロセッサ８５８の一部として実装され得る。
【００８４】
[0097]いくつかの実施形態では、プロセッサモジュール８８０は、様々な実施形態に従ってフレキシブル帯域幅を動的に適応させるために構成され得る。プロセッサ８８０は、基地局１０５−ｃとユーザ機器１１５−ｄとの間の送信に関連するフレキシブル帯域幅信号の１つまたは複数のスケールファクタを動的に調整し得る。これらの調整は、トラフィックパターン、干渉測定などの情報に基づいて行われ得る。
【００８５】
[0098]たとえば、システム８００内で、プロセッサ８８０は再選択のために構成され得る。たとえば、デバイス１１５−ｄのプロセッサまたは他の態様は、基地局１０５−ｃなど、サービングセルとの接続モードにある間に第１の無線アクセス技術（ＲＡＴ）を介してサービングセル１０５−ｃからシステム情報メッセージを受信するように構成され得る。プロセッサ８８０は、受信されたシステム情報メッセージに応答してサービングセル１０５−ｃとの接続モードからサービングセルとのアイドルモードへの遷移を開始するように構成され得る。プロセッサ８８０は、受信されたシステム情報メッセージに応答してサービングセルとのアイドルモードから第２のＲＡＴを利用するターゲットセル（図示せず）への再選択を実施するように構成され得る。いくつかの実施形態では、システム情報メッセージはシステム情報ブロック（ＳＩＢ）を含む。ＳＩＢは、いくつかの場合にはＳＩＢ１９を含み得る。ＳＩＢは、他の場合にはＳＩ２ｑｕａｔｅｒを含み得る。システム情報メッセージはネイバーリストを含み得る。システム情報メッセージは、第２のＲＡＴによる基礎をなすカバレージを示す情報を含み得る。
【００８６】
[0099]いくつかの実施形態では、第１のＲＡＴは３Ｇ  ＲＡＴを含む。第１のＲＡＴは２Ｇ  ＲＡＴまたは４Ｇ  ＲＡＴを含み得る。いくつかの実施形態では、第２のＲＡＴは４Ｇ  ＲＡＴを含む。第２のＲＡＴは３Ｇ  ＲＡＴまたは５Ｇ  ＲＡＴを含み得る。
【００８７】
[0100]図９Ａを参照すると、様々な実施形態による、ワイヤレス通信システムにおける再選択の方法９００−ａの流れ図が与えられている。方法９００−ａは、図１、図２、図５、図７、および／または図８のユーザ機器１１５、ならびに／あるいは図４Ａのデバイス４００−ａならびに／あるいは図４Ｂのデバイス４００−ｂを利用して実装され得る。
【００８８】
[0101]ブロック９０５において、サービングセルとの接続モードにある間に第１の無線アクセス技術（ＲＡＴ）を介してサービングセルからシステム情報メッセージを受信する。ブロック９１０において、受信されたシステム情報メッセージに応答してサービングセルとの接続モードからサービングセルとのアイドルモードへの遷移を開始する。ブロック９１５において、受信されたシステム情報メッセージに応答してサービングセルとのアイドルモードから第２のＲＡＴを利用するターゲットセルへの再選択を実施する。
【００８９】
[0102]いくつかの実施形態では、システム情報メッセージはシステム情報ブロック（ＳＩＢ）を含む。ＳＩＢは、いくつかの場合にはＳＩＢ１９を含み得る。ＳＩＢは、他の場合にはＳＩ２ｑｕａｔｅｒを含み得る。システム情報メッセージはネイバーリストを含み得る。システム情報メッセージは、第２のＲＡＴによる基礎をなすカバレージを示す情報を含み得る。
【００９０】
[0103]いくつかの実施形態では、システム情報メッセージを受信することは、ＲＲＣ接続状態中に行われる。遷移を開始することは、受信されたシステム情報メッセージに応答して接続解放を開始することを含み得る。遷移を開始することは、無線リンク失敗（ＲＬＦ）を示すことをも含み得る。ＲＬＦは、ＲＬＦしきい値を超える数の再送信要求を送ること、またはある時間期間の間非アクティブになることによって示され得る。いくつかの実施形態は、接続解放を開始するためにシグナリング接続解放指示を送信することを含む。いくつかの実施形態では、システム情報メッセージは第２のＲＡＴに関するキャリア周波数情報を含む。
【００９１】
[0104]いくつかの実施形態では、第１のＲＡＴは３Ｇ  ＲＡＴを含む。第１のＲＡＴは２Ｇ  ＲＡＴまたは４Ｇ  ＲＡＴを含み得る。いくつかの実施形態では、第２のＲＡＴは４Ｇ  ＲＡＴを含む。第２のＲＡＴは３Ｇ  ＲＡＴまたは５Ｇ  ＲＡＴを含み得る。
【００９２】
[0105]いくつかの実施形態では、ワイヤレス通信システムは、第１のＲＡＴから第２のＲＡＴへのＲＡＴ間ハンドオーバをサポートしないか、またはそれのためのサポートなしに構成される。いくつかの実施形態は、アイドルモード中にタイマーを無視することを含む。いくつかの実施形態は、アイドルモード中に第１のセルから受信された追加のシステム情報メッセージを利用することを控えることを含む。
【００９３】
[0106]いくつかの実施形態では、受信されたシステム情報はＵＥを許容ＰＬＭＮにダイレクトする。いくつかの実施形態は、システム情報メッセージを受信することより前から、再選択を実施することの後まで、現在のＰＤＰコンテキストを保存することを含む。
【００９４】
[0107]いくつかの実施形態では、アイドルモードへの遷移を開始することは、ＵＥが依然として第１のセルからデータを受信することを予想する間に、たとえば、ＵＥが第１のセルからデータを受信するようにスケジュールされている間に、行われる。たとえば、ＵＥは順方向リンクまたはダウンリンクリソース許可を受信していることがある。場合によっては、再選択は非ブラインド試みを含む。再選択を実施することは、アイドルモードに遷移した後に敏速に開始され得る。
【００９５】
[0108]図９Ｂを参照すると、様々な実施形態による、ワイヤレス通信システムにおける再選択の方法９００−ｂの流れ図が与えられている。方法９００−ｂは、図１、図２、図５、図７、および／または図８のユーザ機器１１５、ならびに／あるいは図４Ａのデバイス４００−ａならびに／あるいは図４Ｂのデバイス４００−ｂを利用して実装され得る。方法９００−ｂは図９Ａの方法９００−ａの一例であり得る。
【００９６】
[0109]ブロック９０５−ａにおいて、ＵＥにおいて、３Ｇセルとの接続モードにある間に３ＧセルからＳＩＢ１９を受信する。ブロック９１０−ａにおいて、ＵＥによって、受信されたＳＩＢ１９に応答して３Ｇセルとの接続モードから３Ｇセルとのアイドルモードへの遷移を開始する。ブロック９１５−ａにおいて、受信されたＳＩＢ１９に応答して３Ｇセルとのアイドルモードから４Ｇセルへの再選択を実施する。ブロック９２０において、ＳＩＢ１９を受信することより前から、４Ｇセルを再選択することの後まで、現在のＰＤＰを保存する。
【００９７】
[0110]図１０Ａを参照すると、様々な実施形態による、ワイヤレス通信システムにおける再選択の方法１０００−ａの流れ図が与えられている。方法１０００−ａは、図１、図２、および／または図７のコアネットワーク１３０、図６Ａのデバイス６００−ａならびに／あるいは図６Ｂのデバイス６００−ｂを利用して実装され得る。いくつかの実施形態は、図１および／または図２のコントローラ１２０、図７のＲＡＮ１２１、ならびに／あるいは図１、図２、および／または図８の基地局１０５を利用して実装され得る。
【００９８】
[0111]ブロック１００５において、第１の無線アクセス技術（ＲＡＴ）を利用する第１のセルを識別する。ブロック１０１０において、第２のＲＡＴを利用する第２のセルを識別し、ここで、第２のセルのカバレージが第１のセルの基礎をなす。ブロック１０１５において、システム情報メッセージに応答して、第１のセルとの接続モードから第１のセルとのアイドルモードに遷移し、第１のセルから第２のＲＡＴを利用するターゲットセルへの再選択を実施するように、ユーザ機器にプロンプトするためにシステム情報メッセージを生成する。ブロック１０２０において、ユーザ機器にシステム情報メッセージを送信する。
【００９９】
[0112]いくつかの実施形態では、システム情報メッセージはシステム情報ブロック（ＳＩＢ）を含む。ＳＩＢは、いくつかの場合にはＳＩＢ１９を含み得る。ＳＩＢは、他の場合にはＳＩ２ｑｕａｔｅｒを含み得る。システム情報メッセージはネイバーリストを含み得る。システム情報メッセージは、第２のＲＡＴによる基礎をなすカバレージを示す情報を含み得る。
【０１００】
[0113]いくつかの実施形態では、システム情報メッセージを送信することは、ＲＲＣ接続状態中に行われる。いくつかの実施形態は、第２のセルの利用可能性ことを決定することを含む。いくつかの実施形態は、システム情報メッセージを送信したことに応答して接続解放メッセージを受信することを含む。接続解放メッセージを受信することは、接続解放を開始するためにシグナリング接続解放指示を受信することを含み得る。
【０１０１】
[0114]いくつかの実施形態では、第１のＲＡＴは３Ｇ  ＲＡＴを含む。第１のＲＡＴは２Ｇ  ＲＡＴまたは４Ｇ  ＲＡＴを含み得る。いくつかの実施形態では、第２のＲＡＴは４Ｇ  ＲＡＴを含む。第２のＲＡＴは３Ｇ  ＲＡＴまたは５Ｇ  ＲＡＴを含み得る。
【０１０２】
[0115]いくつかの実施形態では、ワイヤレス通信システムは第１のＲＡＴから第２のＲＡＴへのＲＡＴ間ハンドオーバをサポートしない。いくつかの実施形態では、送信されたシステム情報はＵＥを許容ＰＬＭＮにダイレクトする。いくつかの実施形態は、システム情報メッセージを受信することより前から、再選択を実施することの後まで、現在のＰＤＰコンテキストを保存することを含む。いくつかの実施形態では、ワイヤレス通信システムは、ＵＥがＲＡＴ遷移の異なる方法を許容することに気づいている。
【０１０３】
[0116]図１０Ｂを参照すると、様々な実施形態による、ワイヤレス通信システムにおける再選択の方法１０００−ｂの流れ図が与えられている。方法１０００−ｂは、図１、図２、および／または図７のコアネットワーク１３０、図６Ａのデバイス６００−ａならびに／あるいは図６Ｂのデバイス６００−ｂを利用して実装され得る。いくつかの実施形態は、図１および／または図２のコントローラ１２０、図７のＲＡＮ１２１、ならびに／あるいは図１、図２、および／または図８の基地局１０５を利用して実装され得る。方法１０００−ｂは図１０Ａの方法１０００−ａの一例であり得る。
【０１０４】
[0117]ブロック１００５−ａにおいて、２Ｇセルを識別する。ブロック１０１０−ａにおいて、３Ｇおよび／または４Ｇセルを識別し、ここで、３Ｇおよび／または４Ｇセルのカバレージが２Ｇの基礎をなす。ブロック１０１５−ａにおいて、ＳＩ２ｑｕａｔｅｒに応答して、２Ｇセルとの接続モードから２Ｇセルとのアイドルモードに遷移し、２Ｇセルから３Ｇまたは４Ｇセルへの再選択を実施するように、ユーザ機器にプロンプトするためにＳＩ２ｑｕａｔｅｒを生成する。ブロック１０２０−ａにおいて、ユーザ機器にＳＩ２ｑｕａｔｅｒを送信する。ブロック１０２５において、ＳＩ２ｑｕａｔｅｒを送信したことに応答して接続解放メッセージを受信する。
【０１０５】
[0118]添付の図面に関して上記に記載した詳細な説明は、例示的な実施形態について説明しており、実装され得るまたは特許請求の範囲内に入る実施形態のみを表すものではない。詳細な説明は、説明した技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【０１０６】
[0119]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０７】
[0120]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１０８】
[0121]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１０９】
[0122]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１１０】
[0123]本開示についての以上の説明は、当業者が本開示を作成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
【図１】
2016512941.tif 000003
【図２】
2016512941.tif 000004
【図３】
2016512941.tif 000005
【図４Ａ】
2016512941.tif 000006
【図４Ｂ】
2016512941.tif 000007
【図５】
2016512941.tif 000008
【図６Ａ】
2016512941.tif 000009
【図６Ｂ】
2016512941.tif 000010
【図７】
2016512941.tif 000011
【図８】
2016512941.tif 000012
【図９Ａ】
2016512941.tif 000013
【図９Ｂ】
2016512941.tif 000014
【図１０Ａ】
2016512941.tif 000015
【図１０Ｂ】
2016512941.tif 000016
【国際調査報告】
2016512941.tif 000017
2016512941.tif 000018
2016512941.tif 000019